(57)【要約】【課題】  頭部の髪が薄くなった際に、自然に毛髪が増えたように見せることができる増毛用部材、増毛用部材の作製方法及び増毛用部材の装着方法を提供する。【解決手段】  一方の面に粘着剤が塗布された合成樹脂からなるフィルム状の基材２の周縁部付近に人毛または人工毛髪からなる増毛用毛髪３を植設して増毛用部材１を作製する。頭部Ｔの所定位置に所定の大きさの両面接着テープ２１を接着し、この両面接着テープ２１の上面側粘着層２３ａに自毛Ｈのうちの選択した固着用自毛Ｈａを所定量接着して作製した土台２５に接着剤を塗布した後、増毛用部材１の基材２を重ね合わせて固着させる。【選択図】      図１５
2007031897.tif 000002
【特許請求の範囲】
【請求項１】
一方の面に粘着剤が塗布された合成樹脂からなるフィルム状の基材の周縁部付近に人毛または人工毛髪からなる増毛用毛髪が植設され、固着部材を介して前記基材が装着者の頭皮に固着されることを特徴とする増毛用部材。
【請求項２】
前記増毛用毛髪は、前記基材の前記粘着剤が塗布されていない他方の面側に垂延して植設されていることを特徴とする請求項１に記載の増毛用部材。
【請求項３】
装着者の頭部に接着した両面接着テープからなる前記固着部材の一面側へ前記基材を接着することにより、前記頭部に固着されることを特徴とする請求項１または請求項２に記載の増毛用部材。
【請求項４】
前記両面接着テープは、芯材の厚さが３０μｍ以下で、両面の粘着層の厚さが８０〜１５０μｍで且つこれら粘着層の接着力が３００〜６００Ｎ／ｍであることを特徴とする請求項３に記載の増毛用部材。
【請求項５】
一方の面に粘着剤が塗布された合成樹脂からなるフィルム状の基材の周縁部付近に人毛または人工毛髪からなる増毛用毛髪を植設することを特徴とする増毛用部材の作製方法。
【請求項６】
一方の面に粘着剤が塗布された合成樹脂からなるフィルム状の基材の周縁部付近に人毛または人工毛髪からなる増毛用毛髪が植設された増毛用部材を装着者の頭部に装着する増毛用部材の装着方法であって、
装着者の頭部に所定の大きさの両面接着テープを貼着する貼着工程と、貼着した前記両面接着テープ付近の自毛を前記両面接着テープの上面に密着させ、さらにその上から接着剤を塗布する接着工程と、自毛を密着させた前記両面接着テープに前記増毛用部材の前記基材の粘着剤が塗布された面側を接着する固着工程とを含むことを特徴とする増毛用部材の装着方法。
【請求項７】
前記接着工程において、前記両面接着テープの上面に密着させる自毛の本数を、長手方向の長さ１ｃｍに対して１０〜２０本とすることを特徴とする請求項６に記載の増毛用部材の装着方法。
【発明の詳細な説明】
【技術分野】
【０００１】
本発明は、毛髪が薄くなった部分等に毛髪を補うために装着される増毛用部材、増毛用部材の作製方法及び増毛用部材の装着方法に関する。
【背景技術】
【０００２】
脱毛等により頭髪が薄くなった場合には、かつら等を着用して頭髪の薄くなった部分を隠蔽する方法があるが、かつらを装着すると一気に頭部の毛髪が増えて外観が一変し、かつらの装着が視認され易く、このため、かつらは敬遠される傾向にある。
近年では、かつらを装着するほどではないが、頭皮が透けて見える人向けとして、増毛用部材を装着することによる部分的な増毛法が、かつらに代わる増毛技術として行われている。
【０００３】
この種の増毛技術としては、下面が粘着性を有する粘着層とされた層状部材に毛髪を植設した増毛用部材を、その層状部材の縁部に装着者の頭髪を編み込むとともに粘着層を頭髪に貼り付けて装着し、この増毛用部材を固定した部分を装着者の毛髪で隠して増毛用部材が視認されないようにするものがある（特許文献１参照）。
【０００４】
また、増毛用毛髪の端部に繊維を編み込んで作製した増毛用部材の端部に両面接着テープの一方側の面を貼り付け、この両面接着テープの他方側の面を自毛に接着して増毛用毛髪を折り返し、増毛用毛髪によって装着部が隠れるように装着する技術もある（特許文献２参照）。
【０００５】
さらに、長方形の基板支持体に増毛用毛髪を植えた増毛用部材を２枚作製し、これら増毛用部材のうち一枚を装着者の頭皮に粘着テープ及び編み込みによって固定し、もう一枚を、既に固定した増毛用部材の固定部分を隠すために固定部分に粘着テープ及び縫い付けによって固定し、次に、装着者の自毛によって縫い付け部分を隠す技術も知られている（特許文献３参照）。
【０００６】
【特許文献１】米国特許５，５７５，２９８号公報
【特許文献２】米国特許６，１３５，１２２号公報
【特許文献３】米国特許６，４０５，７３６号公報
【発明の開示】
【発明が解決しようとする課題】
【０００７】
ところで、上記特許文献１に記載の技術は、取り付けに際しては自毛を増毛用部材の層状部材に編み込むための熟練した技術が必要である。また、編み込みを行うことができ、しかも、増毛用部材装着後に増毛用部材を覆って視認されないように隠すことができる十分な量の自毛が必要であるため、薄毛の進行度合いによっては装着することができないという欠点がある。
また、特許文献２に記載の技術は、自毛に取り付けるための繊維を増毛用毛髪の端部に編み込まなければならず、その作業に熟練が必要であった。また、この増毛用毛髪は、両面接着テープのみを使用して頭髪に貼り付ける形態であるため、残っている自毛の量や状態によっては十分な接着力が得られない可能性がある。
さらに、特許文献３に記載の技術は、装着者の頭部に固定した増毛用部材の基板支持体が目立つため、その固定部分を装着者の頭部に残っている毛髪によって隠すことが必須となり、十分な量の自毛が頭部に無ければ取り付けることが出来ない。
【０００８】
しかも、上記のいずれの技術も、ファッション的要素が強いエクステンション（つけ毛またはみの毛）に関するものであるため、頭部に十分な自毛があることを前提としており、さらに上記の増毛用部材は、頭部へ固定する部分と増毛用の毛髪を固着する部分とが共用されているため、頭部に固定する部分が分厚くなり不自然さが残ってしまう。このため、上記技術では、薄毛かくしを目的とした増毛には適しなかった。
【０００９】
本発明は、上記事情に鑑みてなされたもので、熟練を要せずに容易にかつ確実に装着することができ、また、自毛が少なくても自然な状態で増毛することが可能な増毛用部材、増毛用部材の作製方法及び増毛用部材の装着方法を提供することを目的とする。
【課題を解決するための手段】
【００１０】
上記目的を達成するために、本発明の増毛用部材は、一方の面に粘着剤が塗布された合成樹脂からなるフィルム状の基材の周縁部付近に人毛または人工毛髪からなる増毛用毛髪が植設され、この基材が固着部材を介して装着者の頭皮に固着されることを特徴とする。
これにより、基材の面積を小さくして容易に作製することが可能となり、また、増毛用毛髪が植設された基材の面積を小さくすることにより、第三者から視認されにくくすることができ、また、この基材を自毛への編み込みなど行うことなく装着することができるので、熟練を要せずに装着でき、しかも自毛が少ない装着者に対しても自然な状態で増毛することができる。
【００１１】
また、前記増毛用毛髪は、前記基材の前記粘着剤が塗布されていない他方の面側に垂延して植設されていることが好ましい。
これにより、基材に植設された増毛用毛髪によって自然な状態でかつ確実に増毛することができる。
【００１２】
さらに、装着者の頭部に接着した両面接着テープからなる前記固着部材の一面側へ前記基材を接着することにより、前記頭部に固着されることが望ましい。
これにより、従来行われていた自毛や増毛用毛髪の頭部への編み込みなどの熟練を要する作業を行うことなく、容易に且つ確実に装着者の頭部に装着することができる。
【００１３】
また、前記両面接着テープは、芯材の厚さが３０μｍ以下で、両面の粘着層の厚さが８０〜１５０μｍで且つこれら粘着層の接着力が３００〜６００Ｎ／ｍであることが好ましい。
つまり、両面接着テープの芯材の厚さを３０μｍ以下、両面の粘着層の厚さを８０〜１５０μｍで且つ接着カを３００〜６００Ｎ／ｍとすることにより、外観を損ねることなく、十分な接着力を発揮させ、頭部への確実な固着状態を得ることができ、また、取り外し後における装着痕の付着を抑えることもできる。
【００１４】
本発明の増毛用部材の製造方法は、一方の面に粘着剤が塗布された合成樹脂からなるフィルム状の基材の周縁部付近に人毛または人工毛髪からなる増毛用毛髪を植設することを特徴とする。
これにより、増毛用毛髪を編み込むような熟練を要する特殊な技術がなくても容易に作製することができる。
【００１５】
本発明の増毛用部材の装着方法は、一方の面に粘着剤が塗布された合成樹脂からなるフィルム状の基材の周縁部付近に人毛または人工毛髪からなる増毛用毛髪が植設された増毛用部材を装着者の頭部に装着する増毛用部材の装着方法であって、装着者の頭部に所定の大きさの両面接着テープを貼着する貼着工程と、貼着した前記両面接着テープ付近の自毛を前記両面接着テープの上面に密着させ、さらにその上から接着剤を塗布する接着工程と、自毛を密着させた前記両面接着テープに前記増毛用部材の前記基材の粘着剤が塗布された面側を接着する固着工程と、を含むことを特徴とする。
【００１６】
上記方法によれば、増毛用毛髪を植設した基材と基材を頭皮に貼り付けるための両面接着テープとで自毛を挟んだ状態で頭皮に固着するので、増毛用部材の頭皮への固着力を大幅に向上させることができ、増毛用部材の頭部からの脱落を防ぎ、確実な固着状態を維持させることができる。
また、取り付け時に、自毛や増毛用毛髪を編み込むような熟練を要する特殊な技術が不要で、装着の容易化を図ることができる。
【００１７】
また、前記固着工程において、前記両面接着テープの上面に密着させる自毛の本数を、長手方向の長さ１ｃｍに対して１０〜２０本とすることが好ましい。
このように、両面接着テープの上面に密着させる自毛の本数を１０〜２０本とすることにより、土台となる両面接着テープ及び頭部に対する増毛用部材の固着力を確実に得ることができる。
【発明の効果】
【００１８】
本発明によれば、頭部に直接増毛用部材を固定しない構成とすることで増毛用部材の基材の面積を小さくすることができるため、増毛用部材が視認されにくくなり、装着した増毛用部材を隠すための自毛の量が僅かであっても装着が可能となる。
さらに、増毛用部材の基材の面積を小さくすることによって装着者の頭部への負担を最小限に抑えることができ、増毛用部材を頭部の所定位置に所定数装着することによって薄毛を隠蔽するための増毛を容易に行うことができる。
【００１９】
また、増毛用部材の作製時や頭部への取り付け時に、自毛や増毛用毛髪を編み込むような熟練を要する特殊な技術を不要とすることができ、増毛用部材の作製及び装着の容易化を図ることができる。
また、増毛用部材の大きさに合わせた両面接着テープを予め頭部の所定位置に接着し、この両面接着テープ上に増毛用部材を固着する際に、所定量の自毛を増毛用部材と両面接着テープとの間に接着剤を塗布して挟み込むことによって、極めて強固な固着力を得ることができる。
【００２０】
しかも、頭部に被せるかつらと違い自毛へ固着させるストッパ一等の固定用具を使う必要が無いため、自毛が引っ張られて痛みを感じてしまうようなことがなく、頭皮に対する負担も少なくすることができる。また、頭皮に取り付ける面積が少ないため、かつらを頭部に取り付けた際に起こるような蒸れ等の違和感が無く、自然でボリューム感のある増毛を行うことが可能となる。
【発明を実施するための最良の形態】
【００２１】
以下、本発明に係る増毛用部材、増毛用部材の作製方法及び増毛用部材の装着方法の実施形態について図面を参照して説明する。
［増毛用部材］
まず、本実施形態に係る増毛用部材について説明する。
図１は、本発明の実施形態に係る増毛用部材を示す斜視図である。
図１に示すように、増毛用部材１は、合成樹脂からなるフィルム状の基材２と、この基材２の表面に植設された複数の増毛用毛髪３とを有しており、基材２は、その裏面に粘着剤が塗布されている。そして、この増毛用部材１は、後述する両面接着テープ２１を介して基材２を装着者の頭皮Ｔｈに固定することにより、装着者の頭部に装着される。
【００２２】
この増毛用部材１の基材２としては、装着者の頭皮を刺激することがなく、頭皮にしっかりと接着され、しかも視認されにくい素材が用いられ、また、増毛用毛髪３を植設した際に伸びや裂けが発生しないものが好適であり、後で述べる頭皮Ｔｈへの固着工程において両面接着テープ２１や接着剤との相性が良く、固着後に脱落することが無いものが好適である。これらの条件に適した基材２の素材としては、例えば、半透明ベージュ色の防水医療用テープ（例えば、ニチバン附製シアテープＳＨ１５４）が望ましい。
【００２３】
また、増毛用部材１の増毛用毛髪３としては、人毛あるいは人工毛髪が用いられ、この増毛用毛髪３は、基材２の表面に、その基材２の長手方向に沿って間隔をあけて一列に植設されて垂設されている。
【００２４】
［増毛用部材の作製方法］
次に、上記構造の増毛用部材１の作製方法について、その手順に沿って説明する。
図２〜図８は、増毛用部材の作製方法を説明する図であって、図２は、増毛用部材の作製方法を説明する離型紙を固定した離型紙台の平面図、図３は、離型紙に接着テープを貼り付ける作業を説明する離型紙台の平面図、図４は、接着テープへ増毛用毛髪を植設する作業を説明する離型紙台の平面図、図５は、増毛用毛髪を植設した接着テープを示す離型紙台の側面図、図６は、増毛用毛髪を植設した部分を切断分離して増毛用部材とする作業を説明する接着テープの平面図、図７は、作製した増毛用部材の側面図、図８は、次の増毛用部材の作製作業への移行を説明する離型紙台の平面図である。
【００２５】
（１）作製準備作業
まず、図２に示すように、離型紙台１１の表面に離型紙１２を配置し、この離型紙１２の両端部を固定テープ１３によって離型紙台１１に貼り付けて固定する。ここで、離型紙１２を離型紙台１１に固定するための固定テープ１３は、後述する増毛用毛髪３の植設作業時に離型紙１２が離型紙台１１からはずれることがないような十分な接着カを持つものが用いられる。また、離型紙台３としては、増毛用部材１の作製工程上幾度も固定テープ１３を離型紙台１１上で脱着することになるため、固定テープ１３を容易に脱着できる素材であることが望ましく、例えば、ポリエチレンシートのような合成樹脂製のシート等を使用するのが好ましい。
【００２６】
（２）植設作業
次に、増毛用毛髪３の基材２への植設作業を行う。
この植設作業では、最初に、図３に示すように、基材２となる接着テープ２Ａを、その粘着剤が塗布されている裏面側を離型紙台１１に固定した離型紙１２に貼付する。
次に、図４及び図５に示すように、接着テープ２Ａの粘着剤が塗布されていない表面側において、接着テープ２Ａの一側部側の周縁部に沿う所定の位置に、所定の長さを有する増毛用毛髪３を、約１ｍｍ程度の間隔をあけてほぼ垂直にかつ一列に植えていく。なお、植設の際には、既知のかつらベースに増毛用毛髪を植え込む方法でよく、例えば、図５で示すように、増毛用毛髪３の中間部分を接着テープ２Ａに植え込むことによりＶ字状に植設する。
【００２７】
（３）切り離し作業
接着テープ２Ａに増毛用毛髪３を植設した後、増毛用毛髪３を植設した接着テープ２Ａを、離型紙１２とともに離型紙台１１から取り外し、図６に示すように、植設した増毛用毛髪３を含む約１．２ｍｍ程度の所定の幅寸法にて、増毛用毛髪３の配列方向に沿って離型紙１２と一緒に切り取る。
このようにすると、図７に示すように、粘着剤が塗布された裏面側に離型紙１２が貼り付けられた基材２に、複数の増毛用毛髪３が植設されて垂設された増毛用部材１が作製される。
【００２８】
その後は、図８に示すように、上述の工程で増毛用部材１を切り取ることにより残った接着テープ２Ａを、この接着テープ２Ａが貼り付けられた離型紙１２を離型紙台１１に固定用テープ１３で貼り付けることにより離型紙台１１に固定し、上記植設作業、切り離し作業を繰り返し、複数の増毛用部材１を作製する。
【００２９】
なお、接着テープ２Ａの一側部側における周縁部に沿った所定の位置に増毛用毛髪３をー列に植える理由は、基材２の粘着層側の粘着性を損なわずに切り取り後の増毛用部材１の面積を極力小さくすることにより、増毛用部材１を目立たせることなく装着者の頭部Ｔに確実に固着させるためである。
また、上記増毛用部材１の作製作業において、増毛用部材１の基材２の幅寸法は、一番小さな１．２ｍｍ程度から、装着者の自毛の残量や自毛の生えている間隔に応じて自由に設定することができる。
さらに、上記作製方法では、増毛用毛髪３を植設する接着テープ２Ａを１枚として作製を行ったが、強度を高めるために接着テープ２Ａを２枚以上重ねて貼り合わせたものに増毛用毛髪３を植設してもかまわない。
また、離型紙１２及び接着テープ２Ａには、切断して長さを調整するための目印として、約１ｃｍ程度の所定の間隔をあけてマークを付しておくのが好ましい。
【００３０】
［増毛用部材の装着方法］
次に、増毛用部材１の装着者への装着方法について、その手順に沿って説明する。
図９〜図１５は、増毛用部材の装着方法を説明する図であって、図９は、増毛用部材の装着方法を説明する装着者の頭部の平面図、図１０は、装着者の頭部に貼り付けた両面接着テープの断面図、図１１は、両面接着テープを装着者の頭部に貼り付ける貼着工程を説明する拡大斜視図、図１２は、両面接着テープへ固着用自毛を接着させる接着工程を説明する拡大斜視図、図１３は、両面接着テープからなる土台に増毛用部材を固着させる固着工程を説明する平面図、図１４は、両面接着テープからなる土台に増毛用部材を固着させる固着工程を説明する断面図、図１５は、装着者の頭部に増毛用部材が装着された状態を示す拡大斜視図、図１６は、装着者の頭部に増毛用部材が装着された状態を示す断面図である。
【００３１】
（１）切断工程
最初に、前述した作製方法にて作製した増毛用部材１を、装着者の頭部への装着位置に合わせて切断し、所定の大きさとする。
【００３２】
（２）貼着工程
次に、図９〜図１１に示すように、増毛用部材１を装着者の頭部Ｔに固着するための固着部材である両面接着テープ２１を、切断した増毛用部材１の大きさに合わせて切断し、装着者の頭部Ｔの所定の装着位置に貼着する。
この両面接着テープ２１は、図１０及び図１１に示すように、フィルム状の芯材２２の上面及び下面に、それぞれ上面側粘着層２３ａ及び下面側粘着層２３ｂを備えたもので、下面側粘着層２３ｂを装着者の頭部Ｔの頭皮Ｔｈに貼着させることにより装着者の頭部Ｔに取り付けられる。
【００３３】
（３）接着工程
上記のように、装着者の頭部Ｔに両面接着テープ２１を取り付けたら、図１２に示すように、装着者の自毛Ｈのうちの、両面接着テープ２１の一側部側付近における長手方向に沿って生えている所定量の自毛Ｈを固着用自毛Ｈａとして選択し、これら固着用自毛Ｈａを緩みが生じない程度に両面接着テープ２１の他側部側へ引っ張り、これら固着用自毛Ｈａの根元を両面接着テープ２１の上面側粘着層２３ａに接着させる。
そして、固着用自毛Ｈａを接着した状態の両面接着テープ２１を、増毛用部材１を固着させるための土台２５とする。
【００３４】
頭部Ｔに両面接着テープ２１を貼り付けて土台２５を形成したら、この土台２５を構成する両面接着テープ２１の固着用自毛Ｈａを貼り付けた上面側粘着層２３ａの部分に、頭部Ｔと両面接着テープ２１の下面側粘着層２３ｂとの間にも入り込む程度の量の接着剤を塗布する。
【００３５】
（４）固着工程
次いで、図１３及び図１４に示すように、塗布した接着剤が乾く前に、離型紙１２を剥がした増毛用部材１の基材２を土台２５の位置に合わせて配置させ、図１５及び図１６に示すように、固着用自毛Ｈａを増毛用部材１の基材２と両面接着テープ２１の上面側粘着層２３ａとで挟むように固着する。
そして、上記（１）〜（４）の工程を行うことにより、装着者の頭部Ｔに、増毛用部材１が確実に固着され、装着者の頭部Ｔの増毛が行われ、頭髪が薄くなった部分にて、自然に毛髪が増えたように見せることができる。
【００３６】
以上、説明したように、本実施形態に係る増毛用部材及びその作製方法によれば、接着テープ２Ａの一側部側の周縁部に沿って増毛用毛髪３を植設して増毛用部材１を作製し、この増毛用部材１と増毛用部材１を頭部Ｔに固着させる両面接着テープ２１などからなる固着部材とを分ける構成とすることで、粘着性を損なわないまま増毛用部材１の基材２の面積を小さくして容易に作製することが可能となり、増毛用部材１の基材２の面積を小さくすることにより、第三者から増毛用部材１を視認されにくくすることができる。
しかも、自毛Ｈや増毛用毛髪３の編み込み作業などが不要であるので、熟練を要せずに容易にかつ確実に装着することができ、また、自毛が少なくても自然な状態で増毛することができる。
【００３７】
また、本実施形態に係る増毛用部材の装着方法によれば、増毛用毛髪３を植設した接着テープ２Ａからなる基材２と基材２を頭皮Ｔｈに貼り付けるための両面接着テープ２１とで頭部Ｔに残った自毛Ｈから選択した固着用自毛Ｈａを挟んだ状態で頭皮Ｔｈに固着するので、増毛用部材１の頭皮Ｔｈへの固着力を大幅に向上させることができ、増毛用部材１の頭部Ｔからの脱落を防ぎ、確実な固着状態を維持させることができる。
【００３８】
さらに、頭部Ｔに被せるかつらと違い自毛Ｈへ固着させるストッパ一等の固定用具を使う必要が無いため、自毛Ｈが引っ張られて痛みを感じてしまうようなことがなく、頭皮Ｔｈに対する負担も少なくすることができる。また、頭皮Ｔｈに取り付ける面積が少ないため、かつらを頭皮Ｔｈに取り付けた際に起こるような蒸れ等の違和感が無く、自然でボリューム感のある増毛を行うことが可能となる。
【００３９】
なお、固着用自毛Ｈａを両面接着テープ２１の上面側粘着層２２ａに接着する接着工程における固着用自毛Ｈａの選択は、増毛用部材１の装着後に装着者が頭部Ｔ上において自然な増毛感を得ることができるようにするため、両面接着テープ２１を接着した位置の付近に生えている自毛Ｈの頭部Ｔから生えている方向に基づいて選択するのが好ましい。具体的には、例えば、図１７に示すように、頭部Ｔの後方から視て左側の位置に増毛用部材１を装着する場合は、頭部Ｔの左側の装着位置Ｓの付近にて自毛Ｈが生えている方向に沿って自然な毛髪の流れになるように、装着位置Ｓよりも右側の自毛Ｈを固着用自毛Ｈａとして選択し、図１８に示すように、これら選択した固着用自毛Ｈａを、頭部Ｔから生えている方向に従って引き出して両面接着テープ２１の上部側粘着層２３ａに接着させるのが好ましい。
【００４０】
また、両面接着テープ２１の上面側粘着層２３ａ及び下面側粘着層２３ｂは、増毛用部材１６の貼り付け後に、増毛用部材１６が剥がれて落ちたり頭皮Ｔｈから剥がれ落ちるようなことがないように、十分な接着力を持つ必要がある。このため、両面接着テープ２１としては、その上面側粘着層２３ａ及び下面側粘着層２３ｂが、共に３００〜６００Ｎ／ｍの接着力を有するものが使用される。
【００４１】
ここで、両面接着テープ２１の上面側粘着層２３ａ及び下面側粘着層２３ｂの接着力が上記数値より低い場合は、頭部Ｔから外れやすくなる。また、頭部Ｔに固着した増毛用部材１を取り外す際には、通常、増毛用部材１の頭部Ｔとの固着部分である両面接着テープ２１からなる土台２５に剥離剤を塗布して増毛用部材１及び両面接着テープ２１を取り外すが、両面接着テープ２１の上面側粘着層２３ａ及び下面側粘着層２３ｂの接着力が上記数値より高くて強すぎると、両面接着テープ２１の上面側粘着層２３ａ及び下面側粘着層２３ｂに使用している粘着剤の除去が難しくなり、頭部Ｔ上に増毛用部材１を装着した痕が残ってしまう。
【００４２】
つまり、本実施形態では、両面接着テープ２１の上面側粘着層２３ａ及び下面側粘着層２３ｂの接着力を３００〜６００Ｎ／ｍとすることにより、増毛用部材１の頭部Ｔへの確実な固着状態を得つつ、取り外し後における装着痕の付着を抑えることができる。
なお、両面接着テープ２１の接着力のデータは、対ＢＡ（Bright Annealed）板接着力試験によるものである。
【００４３】
また、両面接着テープ２１は、その芯材２２の厚さが３０μｍ以下であり、上面側粘着層２３ａ及び下面側粘着層２３ｂが低アレルギー性アクリル系粘着剤から形成され、上面側粘着層２３ａ及び下面側粘着層２３ｂの厚さが共に８０〜１５０μｍであることが望ましい。
【００４４】
ここで、頭部Ｔに生えている自毛Ｈの径は一般的に平均８０μｍであるので、両面接着テープ２１の上面側粘着層２３ａ及び下面側粘着層２３ｂの厚さが８０μｍよりも薄いと、図１９に示すように、上面側粘着層２３ａと増毛用部材１との間に介在する固着用自毛Ｈａ及び頭部Ｔと下面側粘着層２３ｂとの間に介在する自毛Ｈが、上面側粘着層２３ａ及び下面側粘着層２３ｂの厚さを上回ってしまい、これら固着用自毛Ｈａ及び自毛Ｈによって上面側粘着層２３ａ及び下面側粘着層２３ｂが増毛用部材１及び頭部Ｔへ十分に届かなくなり、想定している接着カが得られないことがある。
また、自毛Ｈの径よりも上面側粘着層２３ａ及び下面側粘着層２３ｂの厚さが極端に厚いと、頭部Ｔに増毛用部材１を固着した部分が盛り上がってしまい、見た目を損ねてしまう。
【００４５】
つまり、本実施形態では、両面接着テープ２１の上面側粘着層２３ａ及び下面側粘着層２３ｂの厚さを８０〜１５０μｍとすることにより、外観を損ねることなく、十分な接着力を発揮させ、増毛用部材１の確実な固着状態を得ることができる。
【００４６】
また、本実施形態では、両面接着テープ２１の上面側粘着層２３ａに貼り付けた固着用自毛Ｈａの上から接着剤を塗布し、増毛用部材１を両面接着テープ２１からなる土台２５に固着するので、増毛用部材１と土台２５との固着力を大幅に向上させることができる。しかも、頭部Ｔと両面接着テープ２１からなる土台２５との聞にも塗布した接着剤が入り込むことで、頭部Ｔと土台２５との接着力も大幅に向上させることができる。これにより、頭部Ｔからの増毛用部材１の脱落を確実に防ぐことができる。
【００４７】
ここで、接着剤を使用せず増毛用部材１を両面接着テープ２１の上面側粘着層２３ａ及び下面側粘着層２３ｂの粘着力だけで装着した場合、両面接着テープ２１の上面側粘着層２３ａ及び下面側粘着層２３ｂから粘着剤が漏れ出し、増毛用部材１を装着した部分以外の頭部Ｔや近傍の自毛Ｈに付着して汚してしまい、美観が損なわれるとともに、増毛用部材１の固着箇所が露見されてしまうことがある。
【００４８】
しかし、本実施形態のように、両面接着テープ２１の上面側粘着層２３ａ及び下面側粘着層２３ｂを覆うように接着剤を塗布することで上面側粘着層２３ａ及び下面側粘着層２３ｂにおける粘着剤の硬度が高くなり流動性が失われるため、両面接着テープ２１の上面側粘着層２３ａ及び下面側粘着層２３ｂからの粘着剤の漏れ出しを防ぐことができ、粘着剤の漏れ出しにより美観が損なわれたり増毛用部材１の固着箇所が露見してしまうような不具合なく、増毛用部材１を確実に固着させることができる。
【００４９】
また、本実施形態によれば、装着箇所付近の自毛Ｈから選択した固着用自毛Ｈａを挟み込むように増毛用部材１を両面接着テープ２１に固着するので、増毛用部材１が両面接着テープ２１のみならず固着用自毛Ｈａにも固着されることになり、増毛用部材１の頭部Ｔに対する固着カをより向上させることができる。
【００５０】
なお、両面接着テープ２１の上面側粘着層２３ａに貼り付ける固着用自毛Ｈａの本数は、増毛用部材１の長手方向の長さ１ｃｍに対して１０本〜２０本程度が望ましい。
【００５１】
ここで、両面接着テープ２１の上面側粘着層２３ａに貼り付ける固着用自毛Ｈａの本数が多すぎると、増毛用部材１の粘着剤が塗布されている下面側と土台２５を構成する両面接着テープ２１の上面側粘着層２３ａとの間に挟まれる固着用自毛Ｈａにより、土台２５を構成している両面接着テープ２１の上面側粘着層２３ａにおける接着カが弱くなり、増毛用部材１を土台２５に固着するための接着カが弱くなってしまう。また、両面接着テープ２１の上面側粘着層２３ａに貼り付ける固着用自毛Ｈａが少なすぎると、増毛用部材１の粘着剤が塗布されている下面側と両面接着テープ２１の上面側粘着層２３ａとの間に固着用自毛Ｈａを挟むことによる増毛用部材１と頭部Ｔとの固着力を向上させる効果が低減してしまう。
【００５２】
つまり、本実施形態では、両面接着テープ２１の上面側粘着層２３ａに貼り付ける固着用自毛Ｈａの本数を、増毛用部材１の長手方向の長さ１ｃｍに対して１０本〜２０本程度とすることにより、土台２５及び頭部Ｔに対する増毛用部材１の固着力を確実に得ることができる。
【図面の簡単な説明】
【００５３】
【図１】本発明の実施形態に係る増毛用部材を示す斜視図である。
【図２】増毛用部材の作製方法を説明する離型紙を固定した離型紙台の平面図である。
【図３】離型紙に接着テープを貼り付ける作業を説明する離型紙台の平面図である。
【図４】接着テープへ増毛用毛髪を植設する作業を説明する離型紙台の平面図である。
【図５】増毛用毛髪を植設した接着テープを示す離型紙台の側面図である。
【図６】増毛用毛髪を植設した部分を切断分離して増毛用部材とする作業を説明する接着テープの平面図である。
【図７】作製した増毛用部材の側面図である。
【図８】次の増毛用部材の作製作業への移行を説明する離型紙台の平面図である。
【図９】増毛用部材の装着方法を説明する装着者の頭部の平面図である。
【図１０】装着者の頭部に貼り付けた両面接着テープの断面図である。
【図１１】両面接着テープを装着者の頭部に貼り付ける貼着工程を説明する拡大斜視図である。
【図１２】両面接着テープへ固着用自毛を接着させる接着工程を説明する拡大斜視図である。
【図１３】両面接着テープからなる土台に増毛用部材を固着させる固着工程を説明する平面図である。
【図１４】両面接着テープからなる土台に増毛用部材を固着させる固着工程を説明する断面図である。
【図１５】装着者の頭部に増毛用部材が装着された状態を示す拡大斜視図である。
【図１６】装着者の頭部に増毛用部材が装着された状態を示す断面図である。
【図１７】両面接着テープへ接着させる固着用自毛の選択の仕方を説明する装着者の頭部の平面図である。
【図１８】両面接着テープへ接着させる固着用自毛の選択の仕方を説明する拡大斜視図である。
【図１９】自毛及び固着用自毛からなる毛髪の径に対する両面接着テープの上面側粘着層及び下面側粘着層の厚さによる固着状態を説明する断面図である。
【符号の説明】
【００５４】
１  増毛用部材
２  基材
３  増毛用毛髪
２１  両面接着テープ（固着部材）
２２  芯材
２３ａ  上面側粘着層（粘着層）
２３ｂ  下面側粘着層（粘着層）
Ｈ  自毛
Ｈａ  固着用自毛
Ｔ  頭部
【図１】
2007031897.tif 000003
【図２】
2007031897.tif 000004
【図３】
2007031897.tif 000005
【図４】
2007031897.tif 000006
【図５】
2007031897.tif 000007
【図６】
2007031897.tif 000008
【図７】
2007031897.tif 000009
【図８】
2007031897.tif 000010
【図９】
2007031897.tif 000011
【図１０】
2007031897.tif 000012
【図１１】
2007031897.tif 000013
【図１２】
2007031897.tif 000014
【図１３】
2007031897.tif 000015
【図１４】
2007031897.tif 000016
【図１５】
2007031897.tif 000017
【図１６】
2007031897.tif 000018
【図１７】
2007031897.tif 000019
【図１８】
2007031897.tif 000020
【図１９】
2007031897.tif 000021